(57)【要約】【課題】システム全体のコストを抑えることができると共に、簡単な操作で画像を表示装置に貼り付けることを可能とし、複数人が携帯端末を操作する場合であっても円滑に処理を行うことを可能とする画像表示システム、画像表示方法、及び携帯端末を提供する。【解決手段】携帯端末１がカメラ４と、貼付画像を特定する画像特定部１７と、位置検出用画像を用いて貼付画像の貼付位置を特定する位置算出部９と、携帯端末１の傾きに基づいて、貼付画像の傾きを特定すると共に、位置検出用画像を用いて貼付画像のサイズを特定する表示パラメタ算出部１０と、貼付画像のデータと各情報をサーバー２へ送信する情報送信部８と、を備え、サーバー２は、貼付画像のデータ及び情報に基づいて、画面データを編集する画面データ編集部１３と、編集された画面データを表示装置３へ送信する画面データ送信部１４と、を備える。【選択図】図１
2010276792.tif 000002
【特許請求の範囲】
【請求項１】
携帯端末、サーバー、及び表示装置を備える画像表示システムであって、
前記携帯端末は、
前記表示装置を撮像する撮像手段と、
前記表示装置の表示画面へ貼り付けるための貼付画像を特定する画像特定手段と、
前記撮像手段により撮像された撮像画像に基づいて、前記表示画面における前記貼付画像の貼付位置を特定する位置特定手段と、
前記携帯端末の傾きに基づいて、前記表示画面における前記貼付画像の傾きを特定する傾き特定手段と、
前記撮像画像に基づいて、前記表示画面における前記貼付画像のサイズを特定するサイズ特定手段と、
前記貼付画像のデータ、及び前記貼付画像の前記表示画面における貼付位置、傾き及びサイズに関する情報を前記サーバーへ送信する情報送信手段と、を備え、
前記サーバーは、
前記携帯端末から送信された前記貼付画像のデータ及び前記情報に基づいて、前記表示画面において所定の貼付位置、傾き、サイズで表示される前記貼付画像の画面データを編集する画面データ編集手段と、
前記画面データ編集手段で編集された前記画面データを前記表示装置へ送信する画面データ送信手段と、を備えることを特徴とする画像表示システム。
【請求項２】
前記位置特定手段は、前記撮像手段の前記撮像画像の所定の位置における前記表示画面の表示内容、または前記撮像画像中における前記表示装置の位置に基づいて、前記貼付位置を特定することを特徴とする請求項１記載の画像表示システム。
【請求項３】
前記携帯端末は、当該携帯端末の傾きを検出する加速度センサを更に備え、
前記傾き特定手段は、前記加速度センサによって検出された前記携帯端末の傾きと、前記表示画面における前記貼付画像の傾きとを一致させることを特徴とする請求項１または２記載の画像表示システム。
【請求項４】
前記サイズ特定手段は、前記撮像手段の前記撮像画像中における前記表示装置の大きさ、または前記表示画面の表示内容の大きさに基づいて、前記表示画面における前記貼付画像のサイズを特定することを特徴とする請求項１〜３のいずれか一項記載の画像表示システム。
【請求項５】
複数の表示装置を備え、
前記サーバーの前記画面データ送信手段は、前記画面データを前記複数の表示装置へ送信することを特徴とする請求項１〜４のいずれか一項記載の画像表示システム。
【請求項６】
前記画像特定手段は、前記撮像手段を介して前記表示画面に既に貼り付けられている前記貼付画像を特定し、
前記位置特定手段は、前記撮像手段により新たに撮像された撮像画像に基づいて、前記貼付画像の貼付位置を再び特定し、
前記傾き特定手段は、前記携帯端末の新たな傾きに基づいて、前記貼付画像の傾きを再び特定し、
前記サイズ特定手段は、前記撮像手段により新たに撮像された撮像画像に基づいて、前記貼付画像のサイズを再び特定することを特徴とする請求項１〜５のいずれか一項記載の画像表示システム。
【請求項７】
前記携帯端末は、描画手段を更に備え、
前記描画手段は、前記携帯端末の前記表示画面に対する移動軌跡に基づいて、前記表示画面において描画がなされる位置を特定し、
前記サーバーの前記画面データ編集手段は、前記描画手段が特定した位置に描画がなされるように、前記画面データを編集することを特徴とする請求項１〜６のいずれか一項記載の画像表示システム。
【請求項８】
前記携帯端末は、音声を録音する録音する録音手段を更に備え、
前記情報送信手段は、前記録音手段で録音された音声が関連付けられた前記貼付画像のデータを送信することを特徴とする請求項１〜７のいずれか一項記載の画像表示システム。
【請求項９】
表示装置を撮像する撮像手段と、
前記表示装置の表示画面へ貼り付けるための貼付画像を特定する画像特定手段と、
前記撮像手段により撮像された撮像画像に基づいて、前記表示画面における前記貼付画像の貼付位置を特定する位置特定手段と、
自端末の傾きに基づいて、前記表示画面における前記貼付画像の傾きを特定する傾き特定手段と、
前記撮像画像に基づいて、前記表示画面における前記貼付画像のサイズを特定するサイズ特定手段と、
前記貼付画像のデータ及び前記貼付画像の前記表示画面における貼付位置、傾き及びサイズに関する情報を前記サーバーへ送信する情報送信手段と、を備えることを特徴とする携帯端末。
【請求項１０】
携帯端末、サーバー、及び表示装置を用いる画像表示方法であって、
前記携帯端末が、前記表示装置を撮像する撮像ステップと、
前記携帯端末が、前記表示装置の表示画面へ貼り付けるための貼付画像を特定する画像特定ステップと、
前記携帯端末が、前記撮像ステップで撮像された撮像画像に基づいて、前記表示画面における前記貼付画像の貼付位置を特定する位置特定ステップと、
前記携帯端末が、前記携帯端末の傾きに基づいて、前記表示画面における前記貼付画像の傾きを特定する傾き特定ステップと、
前記携帯端末が、前記撮像画像に基づいて、前記表示画面における前記貼付画像のサイズを特定するサイズ特定ステップと、
前記携帯端末が、前記貼付画像のデータ、及び前記貼付画像の前記表示画面における貼付位置、傾き及びサイズに関する情報を前記サーバーへ送信する情報送信ステップと、
前記サーバーが、前記携帯端末から送信された前記貼付画像のデータ及び前記情報に基づいて、前記表示画面において所定の貼付位置、傾き、サイズで表示される前記貼付画像の画面データを編集する画面データ編集ステップと、
前記サーバーが、前記画面データ編集ステップで編集された前記画面データを前記表示装置へ送信する画面データ送信ステップと、を備えることを特徴とする画像表示方法。
【発明の詳細な説明】
【技術分野】
【０００１】
本発明は、携帯端末の画像を表示装置に表示させることのできる画像表示システム、画像表示方法、及び携帯端末に関する。
【背景技術】
【０００２】
近年、テレビなどの表示装置は画面サイズの大型化が進んでおり、その場にいる複数人で同じ情報を共有することが可能となっている。また、携帯電話やデジタルカメラなどの携帯端末で撮影した画像をパソコンやテレビ等に表示し、家族で楽しむこともできる。従前は、携帯端末内に保存された画像を表示装置に表示するには、メールやSDカード等の一時記憶媒体を介して画像を移行し、表示装置に具備されたマウスやリモコン等の操作装置を利用し、表示する画像の選択や当該画像を表示する位置の決定を行っていた。このような場合、一枚、または複数の画像を表示装置に配置する（貼付けする）にはマウス等の操作装置を利用する必要があるため、操作装置を扱うことができる一定以上の技能および操作の慣れが必要であった。更に、画像に傾きを与えて表示し、または表示サイズの拡大や縮小を行う場合は、より高度な技能が求められていた。
【０００３】
このような要求に応じた画像表示システムとして、従来、タッチパネル式の表示装置に、画像が表示された携帯端末を接触させ、接触が検出された場合に、携帯端末の画像データを表示装置に送信して貼り付けるものが知られていた（例えば、特許文献１参照）。この画像表示システムでは、表示装置と携帯端末との接触状態に応じて画像の表示位置やサイズを制御している。
【先行技術文献】
【特許文献】
【０００４】
【特許文献１】特開２００７−３１６９２５号公報
【発明の概要】
【発明が解決しようとする課題】
【０００５】
しかしながら、上述した画像表示システムにあっては、表示装置がタッチパネル式である必要があると共に画像の表示位置やサイズなどのレイアウトを演算する必要があるため、接触位置検出部や、携帯端末との無線通信部や、レイアウトを制御するための表示制御部など、一般的なテレビやディスプレイには備わっていない機能や部品を追加しなくてはならなかった。従って、システムの実現が困難であり、システムのためのコストが上がってしまうという問題があった。また、携帯端末の操作者は表示装置まで近づいて行き、携帯端末を表示装置に接触させる必要があるため、画像の貼付に手間が掛かってしまうという問題があった。更に、このような大画面の表示装置に携帯端末の画像を貼り付けるシステムは、複数人で画像を楽しむような状況や会議を行っている状況などで用いられることが想定される。しかし、上述のようなタッチパネルを用いた画像表示システムでは、複数人が同時に画像を貼り付ける場合に、複数箇所での接触検出を行う必要が生じたり、表示装置内における処理が複雑になってしまう。従って、表示装置に搭載することができる制御装置の処理能力には限度があり、負荷が大きくなりすぎてしまうため、複数人で画像表示システムを用いる場合に、スムーズに処理を行うことができないという問題があった。
【０００６】
本発明は、このような問題を解決するためになされたものであり、システム全体のコストを抑えることができると共に、簡単な操作で画像を表示装置に貼り付けることを可能とし、複数人が携帯端末を操作する場合であっても円滑に処理を行うことを可能とする画像表示システム、画像表示方法、及び携帯端末を提供することを目的とする。
【課題を解決するための手段】
【０００７】
本発明に係る画像表示システムは、携帯端末、サーバー、及び表示装置を備える画像表示システムであって、携帯端末は、表示装置を撮像する撮像手段と、表示装置の表示画面へ貼り付けるための貼付画像を特定する画像特定手段と、撮像手段により撮像された撮像画像に基づいて、表示画面における貼付画像の貼付位置を特定する位置特定手段と、携帯端末の傾きに基づいて、表示画面における貼付画像の傾きを特定する傾き特定手段と、撮像画像に基づいて、表示画面における貼付画像のサイズを特定するサイズ特定手段と、貼付画像のデータ、及び貼付画像の表示画面における貼付位置、傾き及びサイズに関する情報をサーバーへ送信する情報送信手段と、を備え、サーバーは、携帯端末から送信された貼付画像のデータ及び情報に基づいて、表示画面において所定の貼付位置、傾き、サイズで表示される貼付画像の画面データを編集する画面データ編集手段と、画面データ編集手段で編集された画面データを表示装置へ送信する画面データ送信手段と、を備えることを特徴とする。
【０００８】
本発明に係る画像表示システムによれば、携帯端末の画像特定手段が、表示装置の表示画面へ貼り付けるための貼付画像を特定する一方で、撮像手段で表示装置を撮像することによって、表示画面中における貼付画像の貼付位置やサイズなどを特定するための撮像画像を取得する。そして、位置特定手段は、撮像画像に基づいて、表示画面における貼付画像の貼付位置を特定し、傾き特定手段は、携帯端末の傾きに基づいて、表示画面における貼付画像の傾きを特定し、サイズ特定手段は、撮像画像に基づいて、表示画面における貼付画像のサイズを特定する。更に、情報送信手段は、貼付画像のデータ及び貼付画像の表示画面における貼付位置、傾き及びサイズに関する情報をサーバーへ送信する。携帯端末から貼付画像のデータと各種情報を受信したサーバーは、画面データ編集手段で、携帯端末からのデータと情報に基づいて、表示画面における貼付画像の画面データを編集し、画面データ送信手段で、編集された画面データを表示装置へ送信することができる。これによって、表示装置は、携帯端末側で特定された貼付位置、傾き、サイズに応じて、貼付画像を表示画面に表示することができる。これによって、例えば、貼り付ける貼付画像を携帯端末で目視しながら、貼付位置、傾き、サイズを表示装置との位置関係や端末自体の傾きで直接的に決定することが可能となり、コルクボード等に紙媒体の写真をピン止めしていくような感覚で、直感的かつ容易に操作を行うことができる。更に、貼付画像の貼付位置、傾き、サイズを全て携帯端末側で特定することができると共に、表示装置における画面データの編集も全てサーバー側で行うことができるため、表示装置においては特別な処理が不要とされるため、ネットワークに接続可能なものであれば一般的なテレビやディスプレイを用いることができる。これによって、システム専用の特別な表示装置などを用いることなく、システムを構築することが可能となるため、コストを上げることなくシステムを実現することが可能となる。更に、貼付画像の貼付位置などが、携帯端末の撮像手段の撮像画像に基づいて特定されるため、表示装置から離れた位置で貼付操作を行うことができる。従って、タッチパネル式の画像表示システムに比べて、手間をかけることなく貼りつけを行うことができる。また、一つの表示装置に対して複数人がそれぞれの携帯端末で貼付画像の貼り付けを行う場合、貼付画像の貼付位置、傾き、サイズは全て個々の携帯端末の中で特定され、表示装置における画面データの編集は全て高い処理能力を有するサーバーで処理される。従って、本発明に係る画像表示システムによれば、処理能力に限度のある表示装置内で貼付位置の特定や画面データの編集を行う場合に比して、スムーズに処理を行うことができるため、複数人で画像を楽しむような状況や複数人で行う会議での利用性を向上させることができる。以上によって、システム全体のコストを抑えることができると共に、簡単な操作で画像を表示装置に貼り付けることを可能とし、複数人が携帯端末を操作する場合であっても円滑に処理を行うことができる。
【０００９】
また、本発明に係る画像表示システムにおいて、位置特定手段は、撮像手段の撮像画像の所定の位置における表示画面の表示内容、または撮像画像中における表示装置の位置に基づいて、貼付位置を特定することが好ましい。表示画面の表示内容が、表示画面における座標を特定できるようなものである場合、撮像手段の撮像画像の所定位置における表示内容を参照することによって、携帯端末と表示装置との相対的な位置関係を把握することができる。また、撮像画像中における表示装置の位置を参照することにより、携帯端末と表示装置との相対的な位置関係を把握することができる。これによって、撮像画像に基づいて容易に貼付画像の貼付位置を特定することができる。
【００１０】
また、本発明に係る画像表示システムにおいて、携帯端末は、当該携帯端末の傾きを検出する加速度センサを更に備え、傾き特定手段は、加速度センサによって検出された携帯端末の傾きと、表示画面における貼付画像の傾きとを一致させることが好ましい。加速度センサによって携帯端末の傾きを正確に把握することができ、その出力値と貼付画像の傾きとを一致させることにより、容易に貼付画像の傾きを特定することができる。
【００１１】
また、本発明に係る画像表示システムにおいて、サイズ特定手段は、撮像手段の撮像画像中における表示装置の大きさ、または表示画面の表示内容の大きさに基づいて、表示画面における貼付画像のサイズを特定することが好ましい。撮像画像中における表示装置の大きさや表示内容の大きさによって、携帯端末と表示装置との相対距離を把握することができる。これによって、撮像画像に基づいて容易に貼付画像のサイズを特定することができる。
【００１２】
また、本発明に係る画像表示システムにおいて、複数の表示装置を備え、サーバーの画面データ送信手段は、画面データを複数の表示装置へ送信することが好ましい。複数の表示装置へ画面データを送信することによって、遠隔地におけるテレビ会議などで、それぞれの場所で同じ内容を共有することができる。
【００１３】
また、本発明に係る画像表示システムにおいて、画像特定手段は、撮像手段を介して表示画面に既に貼り付けられている貼付画像を特定し、位置特定手段は、撮像手段により新たに撮像された撮像画像に基づいて、貼付画像の貼付位置を再び特定し、傾き特定手段は、携帯端末の新たな傾きに基づいて、貼付画像の傾きを再び特定し、サイズ特定手段は、撮像手段により新たに撮像された撮像画像に基づいて、貼付画像のサイズを再び特定することが好ましい。これによって、一度表示装置に貼り付けた貼付画像を再び選択し、再編集することが可能となる。
【００１４】
また、本発明に係る画像表示システムにおいて、携帯端末は、描画手段を更に備え、描画手段は、携帯端末の表示画面に対する移動軌跡に基づいて、表示画面において描画がなされる位置を特定し、サーバーの画面データ編集手段は、描画手段が特定した位置に描画がなされるように、画面データを編集することが好ましい。例えば、携帯端末の端末ディスプレイでカラーパレットから色や模様を選択して、携帯端末を表示画面に向けて移動させることにより、その移動軌跡に従って表示画面上に線や模様を描画することができる。
【００１５】
また、本発明に係る画像表示システムにおいて、携帯端末は、音声を録音する録音する録音手段を更に備え、情報送信手段は、録音手段で録音された音声が関連付けられた貼付画像のデータを送信することが好ましい。録音手段で録音された音声を関連つけて貼付画像を貼り付けることによって、例えば、表示画面における貼付画像を選択したときに、その音声を再生することができる。
【００１６】
本発明に係る携帯端末は、表示装置を撮像する撮像手段と、表示装置の表示画面へ貼り付けるための貼付画像を特定する画像特定手段と、撮像手段により撮像された撮像画像に基づいて、表示画面における貼付画像の貼付位置を特定する位置特定手段と、自端末の傾きに基づいて、表示画面における貼付画像の傾きを特定する傾き特定手段と、撮像画像に基づいて、表示画面における貼付画像のサイズを特定するサイズ特定手段と、貼付画像のデータ及び貼付画像の表示画面における貼付位置、傾き及びサイズに関する情報をサーバーへ送信する情報送信手段と、を備えることを特徴とする。
【００１７】
本発明に係る携帯端末によれば、画像特定手段が、表示装置の表示画面へ貼り付けるための貼付画像を特定する一方で、撮像手段で表示装置を撮像することによって、表示画面における貼付位置やサイズ特定するための撮像画像を取得する。そして、位置特定手段は、撮像手段により撮像される撮像画像に基づいて、表示画面における貼付画像の貼付位置を特定し、傾き特定手段は、携帯端末の傾きに基づいて、表示画面における貼付画像の傾きを特定し、サイズ特定手段は、撮像画像に基づいて、表示画面における貼付画像のサイズを特定する。更に、情報送信手段は、貼付画像のデータをサーバーへ送信すると共に、貼付画像の表示画面における貼付位置、傾き及びサイズに関する情報をサーバーへ送信する。これによって、携帯端末から貼付画像のデータと各種情報を受信したサーバーは、それらのデータと情報に基づいて、表示画面に表示される貼付画像の画面データを編集し、当該画面データを表示装置へ送信することができる。更に、表示装置は、携帯端末側で特定された貼付位置、傾き、サイズに応じて、貼付画像を表示画面に表示することができる。これによって、例えば、貼り付ける貼付画像を携帯端末で目視しながら、貼付位置、傾き、サイズを表示装置との位置関係や端末自体の傾きで直接的に決定することが可能となり、コルクボード等に紙媒体の写真をピン止めしていくような感覚で、直感的かつ容易に操作を行うことができる。更に、貼付画像の貼付位置、傾き、サイズを全て携帯端末側で特定することができると共に、表示装置における画面データの編集も全てサーバー側で行うことが可能となり、表示装置においては特別な処理が不要とされるため、ネットワークに接続可能なものであれば一般的なテレビやディスプレイを用いることができる。これによって、システム専用の特別な表示装置などを用いることなく、システムを構築することが可能となるため、コストを上げることなくシステムを実現することが可能となる。更に、貼付画像の貼付位置などが、携帯端末の撮像手段の撮像画像に基づいて特定されるため、表示装置から離れた位置で貼付操作を行うことができる。従って、タッチパネル式の画像表示システムに比べて、手間をかけることなく貼りつけを行うことができる。また、一つの表示装置に対して複数人がそれぞれの携帯端末で貼付画像の貼り付けを行う場合、貼付画像の貼付位置、傾き、サイズは全て個々の携帯端末の中で特定され、表示装置における画面データの編集は全て高い処理能力を有するサーバーで処理される。従って、本発明に係る携帯端末によれば、処理能力に限度のある表示装置内で貼付位置の特定や画面データの編集を行う場合に比して、スムーズに処理を行うことができるため、複数人で画像を楽しむような状況や複数人で行う会議での利用性を向上させることができる。以上によって、システム全体のコストを抑えることができると共に、簡単な操作で画像を表示装置に貼り付けることを可能とし、複数人が携帯端末を操作する場合であっても円滑に処理を行うことができる。
【００１８】
本発明に係る画像表示方法は、携帯端末、サーバー、及び表示装置を用いる画像表示方法であって、携帯端末が、表示装置を撮像する撮像ステップと、携帯端末が、表示装置の表示画面へ貼り付けるための貼付画像を特定する画像特定ステップと、携帯端末が、撮像ステップで撮像された撮像画像に基づいて、表示画面における貼付画像の貼付位置を特定する位置特定ステップと、携帯端末が、携帯端末の傾きに基づいて、表示画面における貼付画像の傾きを特定する傾き特定ステップと、携帯端末が、撮像画像に基づいて、表示画面における貼付画像のサイズを特定するサイズ特定ステップと、携帯端末が、貼付画像のデータ、及び貼付画像の表示画面における貼付位置、傾き及びサイズに関する情報をサーバーへ送信する情報送信ステップと、サーバーが、携帯端末から送信された貼付画像のデータ及び情報に基づいて、表示画面において所定の貼付位置、傾き、サイズで表示される貼付画像の画面データを編集する画面データ編集ステップと、サーバーが、画面データ編集ステップで編集された画面データを表示装置へ送信する画面データ送信ステップと、を備えることを特徴とする。
【００１９】
本発明に係る画像表示方法によれば、携帯端末が画像特定ステップで、表示装置の表示画面へ貼り付けるための貼付画像を特定する一方で、携帯端末が撮像ステップで表示装置を撮像することによって、表示画面における貼付位置やサイズを特定するための撮像画像を取得する。そして、携帯端末が、位置特定ステップで、撮像ステップで撮像された撮像画像に基づいて、表示画面における貼付画像の貼付位置を特定し、傾き特定ステップで、携帯端末の傾きに基づいて、表示画面における貼付画像の傾きを特定し、サイズ特定ステップで、撮像ステップで撮像された撮像画像に基づいて、表示画面における貼付画像のサイズを特定する。更に、携帯端末が情報送信ステップで、貼付画像のデータ、及び貼付画像の表示画面における貼付位置、傾き及びサイズに関する情報をサーバーへ送信する。携帯端末から貼付画像のデータと各種情報を受信したサーバーは、画面データ編集ステップで、携帯端末からのデータと情報に基づいて、表示画面に表示される貼付画像の画面データを編集し、画面データ送信ステップで、編集された画面データを表示装置へ送信することができる。これによって、表示装置は、携帯端末側で特定された貼付位置、傾き、サイズに応じて、貼付画像を表示画面に表示することができる。これによって、例えば、貼り付ける貼付画像を携帯端末で目視しながら、貼付位置、傾き、サイズを表示装置との位置関係や端末自体の傾きで直接的に決定できることにより、コルクボード等に紙媒体の写真をピン止めしていくような感覚で、直感的かつ容易に操作を行うことができる。更に、貼付画像の貼付位置、傾き、サイズを全て携帯端末側で特定することができると共に、表示装置における画面データの編集も全てサーバー側で行うことができるため、表示装置においては特別な処理が不要とされるため、ネットワークに接続可能なものであれば一般的なテレビやディスプレイを用いることができる。これによって、システム専用の特別な表示装置などを用いることなく、システムを構築することが可能となるため、コストを上げることなくシステムを実現することが可能となる。更に、貼付画像の貼付位置などが、携帯端末の撮像ステップでの撮像画像に基づいて特定されるため、表示装置から離れた位置で貼付操作を行うことができる。従って、タッチパネル式の画像表示システムに比べて、手間をかけることなく貼りつけを行うことができる。また、一つの表示装置に対して複数人がそれぞれの携帯端末で貼付画像の貼り付けを行う場合、貼付画像の貼付位置、傾き、サイズは全て個々の携帯端末の中で特定され、表示装置における画面データの編集は全て高い処理能力を有するサーバーで処理される。従って、本発明に係る画像表示方法によれば、処理能力に限度のある表示装置内で貼付位置の特定や画面データの編集を行う場合に比して、スムーズに処理を行うことができるため、複数人で画像を楽しむような状況や複数人で行う会議での利用性を向上させることができる。以上によって、システム全体のコストを抑えることができると共に、簡単な操作で画像を表示装置に貼り付けることを可能とし、複数人が携帯端末を操作する場合であっても円滑に処理を行うことができる。
【発明の効果】
【００２０】
本発明によれば、システム全体のコストを抑えることができると共に、簡単な操作で画像を表示装置に貼り付けることを可能とし、複数人が携帯端末を操作する場合であっても円滑に処理を行うことができる。
【図面の簡単な説明】
【００２１】
【図１】本発明の実施形態に係る画像表示システムの構成を示す図である。
【図２】本発明の実施形態に係る画像表示システムの制御処理の流れを説明するためのシーケンス図である。
【図３】表示装置に表示される貼付画像の貼付方法を表した図である。
【図４】貼付画像の表示画面における傾き、サイズを決める方法を説明するための図である。
【図５】既に貼り付けられている貼付画像の再編集について説明するための図である。
【発明を実施するための形態】
【００２２】
以下、本発明に係る画像表示システム、画像表示方法、及び携帯端末の好適な実施形態を図面に基づいて説明する。なお、各図において、同一要素には同一符号を付して重複する説明を省略する。
【００２３】
図１は、本発明の実施形態に係る画像表示システム１００の構成を示す図である。図１に示すように、画像表示システム１００は、携帯端末１と、サーバー２と、表示装置３とを備えて構成されている。画像表示システム１００は、サーバー２を介して携帯端末１内の画像を表示装置３の画面に貼り付ける機能を有している。携帯端末１、サーバー２、及び表示装置３は、互いにネットワークＮＷを介して接続されている。
【００２４】
携帯端末１は、カメラ付きの携帯電話から構成されており、カメラ（撮像手段）４、ストレージ５、加速度センサ６、端末ディスプレイ７、情報送信部（情報送信手段）８、位置算出部（位置特定手段）９、表示パラメタ算出部（傾き特定手段、サイズ特定手段）１０、画像処理部１１、画像特定部（画像特定手段）１７、描画部（描画手段）１８、録音部（録音手段）１９を有している。なお、携帯端末１はカメラ付き携帯電話に限らず、カメラと通信機能を備えている携帯型の端末であればよく、カメラ付きのＰＨＳやＰＤＡ、あるいは通信機能付きのデジタルカメラなどであってもよい。
【００２５】
カメラ４は、携帯端末１に取り付けられた撮像装置であり、例えば、端末ディスプレイ７の裏側に設けられている。このカメラ４は、通常時は端末ディスプレイ７で画像を表示しながら撮像するものであるが、表示装置３に貼付画像を貼り付ける場合は、端末ディスプレイ７に選択した貼付画像が表示されているバックグラウンドで動作し続けることができる。これによって、カメラ４は、操作者が端末ディスプレイ７で貼付画像を確認し続けることのできる状態で、貼付画像の貼付位置やサイズを特定するための位置検出用画像（撮像画像）を取得することができる。なお、この位置検出用画像は、操作者がカメラ４を表示装置３に向けた状態で操作キーを押したタイミングで取得される。カメラ４は、取得した位置検出用画像を位置算出部９及び表示パラメタ算出部１０へ出力する機能を有している。なお、カメラ４は、表示装置３の表示画面１５に既に貼り付けられている貼付画像を選択するための貼付画像選択モードに設定されている場合は、撮像した貼付画像を画像特定部１７へ出力する機能を有している。
【００２６】
ストレージ５は、携帯端末１に内蔵された記憶媒体、あるいはメモリーカードなどの記憶媒体であり、カメラ４で撮像した複数の画像、ＰＣやデジタルカメラなどの外部装置から取り込んだ画像、あるいは録音部１９で録音した音声を保存する機能を有している。また、ストレージ５は、操作者が貼付画像を選択する場合に、保存している画像を端末ディスプレイ７や画像特定部１７へ送信する機能を有している。加速度センサ６は、携帯端末１の内部に組み込まれており、携帯端末１の三次元的な傾きを検出する機能を有している。加速度センサ６は、検出した検出値を表示パラメタ算出部１０へ出力する機能を有している。端末ディスプレイ７は、携帯端末１に設けられたディスプレイであり、各種情報を操作者に表示する機能を有している。端末ディスプレイ７は、貼付画像選択時はストレージ５内の複数の画像を表示し、カメラ４で位置検出用画像を撮像している間は特定された貼付画像を表示する。
【００２７】
情報送信部８は、サーバー２との間でネットワークＮＷを介した通信を行う機能を有しており、貼付画像のデータをサーバー２へ送信すると共に、貼付画像の表示画面における貼付位置、傾き及びサイズに関する情報、及び貼付画像に関連付けられた音声データをサーバー２へ送信する機能を有している。また、情報送信部８は、描画部１８で特定された描画情報をサーバー２へ送信する機能を有している。
【００２８】
位置算出部９は、カメラ４の位置検出用画像によって取得される、携帯端末１と表示装置３との位置関係に基づいて、表示画面１５における貼付画像の貼付位置を特定する機能を有している。また、位置算出部９は、位置検出用画像の中心位置における表示画面１５の表示内容、または位置検出用画像中における表示装置３の位置に基づいて、貼付位置を特定する機能を有している。表示画面１５の表示内容が、例えば、図３（ａ）に示す数字とアルファベットからなる初期画面などのように表示画面１５における座標を特定できるようなものである場合、位置検出用画像の中心位置における表示内容を参照することによって、携帯端末１と表示装置３との相対的な位置関係を把握することができる。また、位置検出用画像中における表示装置３の位置を参照することにより、携帯端末１と表示装置３との相対的な位置関係を把握することができる。これによって、位置検出用画像に基づいて容易に貼付画像の貼付位置を特定することができる。なお、位置算出部９は、新たな画像を貼り付ける場合に、既に表示装置３に表示されている貼付画像を用いて位置を特定することも可能である。また、位置算出部９は、位置検出用画像の中心位置における表示画面１５の表示内容に限らず、どの位置を基準にしてもよい。位置算出部９は、算出結果を画像処理部１１へ出力する機能を有している。
【００２９】
表示パラメタ算出部１０は、携帯端末１の傾きに基づいて、表示画面１５における貼付画像の傾きを特定する機能、及びカメラ４の位置検出用画像によって取得される、携帯端末１と表示装置３との相対距離に基づいて、表示画面１５における貼付画像のサイズを特定する機能を有している。表示パラメタ算出部１０は、加速度センサ６によって検出された携帯端末１の傾きと、表示画面１５における貼付画像の傾きとを一致させる機能、及び撮像手段の位置検出画像中における表示装置３の大きさ、または表示画面の表示内容の大きさに基づいて、表示画面における貼付画像のサイズを特定する機能を有している。なお、貼付画像の傾きは、携帯端末１の傾きと完全一致させる必要はなく、表示画面１５における表示状況にあわせて誤差を持たせてもよい。表示パラメタ算出部１０は、算出結果を画像処理部１１へ出力する機能を有している。
【００３０】
画像処理部１１は、位置算出部９及び表示パラメタ算出部１０からの算出結果に基づく貼付位置、傾き、サイズを編集して、例えば、ＪＰＥＧ画像のＥｘｉｆオプション領域などの、貼付画像の付属情報（貼付位置、傾き及びサイズに関する情報）に付記する機能を有している。画像処理部１１は、貼付画像の画像データを付属情報と共に情報送信部８へ出力する機能を有している。
【００３１】
画像特定部１７は、表示装置３の表示画面１５へ貼り付けるための貼付画像を特定する機能を有している。画像特定部１７は、ストレージ５に既に保存されており操作者がキー操作によって選択した画像を貼付画像として特定することができ、あるいは、カメラ４で撮像したばかりの画像をそのまま貼付画像として特定することができ、更に、既に表示装置３に貼り付けられている貼付画像を再びカメラ４で撮像してキー操作で取り込むことによって再編集可能な貼付画像として特定することができる。
【００３２】
描画部１８は、既に貼付画像が貼り付けられている表示画面１５に対して線や模様などの描画を行う機能を有しており、具体的には、携帯端末１が描画モードに設定されている場合において、カメラ４からの撮像画像から携帯端末１の表示画面１５に対する移動軌跡を取得し、その移動軌跡に基づいて、表示画面１５において描画がなされる位置を特定することによって、表示画面１５での描画を可能とする。なお、描画モードでは、端末ディスプレイ７に色や模様などを選択できるカラーパレットが表示され、描画で用いたい色や模様を選択することができる。描画部１８は、特定した描画情報を情報送信部８へ出力する機能を有している。
【００３３】
録音部１９は、携帯端末１に内蔵されたレコーダーなどから構成されており、音声を録音する機能を有している。録音部１９は、例えば、画像特定部１７で貼付画像が特定された状態で音声を録音することにより、当該音声と貼付画像とを関連付けることができる。
【００３４】
サーバー２は、物理的にはCPU、主記憶装置RAM及びROM、ハードディスク等の補助記憶装置やネットワークカード等のデータ送受信デバイスである通信モジュールなどを含むコンピュータシステムとして構成されている。サーバー２は、情報受信部１２、画面データ編集部（画面データ編集手段）１３、画面データ送信部（画面データ送信手段）１４を備えて構成されている。
【００３５】
情報受信部１２は、携帯端末１の情報送信部８から送信された各種情報を受信すると共に、受信した情報を画面データ編集部１３へ出力する機能を有している。画面データ編集部１３は、貼付画像のデータ及び付記情報に基づいて、表示画面１５に表示される表示内容の画面データを編集する機能を有している。また、画面データ編集部１３は、携帯端末１の描画部１８が特定した位置に描画がなされるように、画面データを編集する機能を有している。また、画面データ編集部１３は、表示画面１５の座標を特定するための初期画面を編集する機能を有している。画面データ送信部１４は、画面データ編集部１３で編集された画面データを表示装置３へ送信する機能を有している。
【００３６】
表示装置３は、画像や映像を表示画面１５に表示する機能を有しており、ネットワークＮＷと接続可能な大型ＴＶやパソコン用のディスプレイなど、一般的に用いられる大型ディスプレイによって構成されている。この表示装置３は、表示画面１５及び画面データ取得部１６を備えて構成されている。画面データ取得部１６は、サーバー２からネットワークＮＷを介して画面データを取得すると共に、当該画面データに基づく表示内容を表示画面１５で表示させる機能を有している。
【００３７】
次に、図２〜図４を参照して、本発明の実施形態に係る画像表示システム１００による画像表示方法について説明する。図２は、本発明の実施形態に係る画像表示システム１００の制御処理の流れを説明するためのシーケンス図である。図３は、表示装置３に表示される貼付画像の貼付方法を表した図、図４は、貼付画像の表示画面１５における傾き、サイズを決める方法を説明するための図である。
【００３８】
図２の制御処理が行われる前に、サーバー２は、表示装置３のＩＤと携帯端末１のＩＤとの紐付けを行う。これによって、携帯端末１を操作したときにどの表示装置３に情報が反映されるのかが関連付けられる。図２に示すように、サーバー２の画面データ送信部１４は、表示装置３へ初期画面の画面データを送信する（ステップＳ１）。初期画面は、例えば図３（ａ）に示すように、表示装置３の表示画面１５におけるＸ軸方向及びＹ軸方向の座標を特定するための文字及び数値が記載された画面である。図３（ａ）の例では、Ｘ軸方向の位置を「Ａ，Ｂ，Ｃ…」とアルファベットで特定し、Ｙ軸方向の位置を「１，２，３…」と数値で特定している。なお、Ｓ１の処理は、携帯端末１でのキー操作に応じて開始されてもよく、あるいは、表示装置３からの要求によって開始されてもよい。表示装置３の画面データ取得部１６は、Ｓ１で送信された初期画面の画面データを取得し、当該初期画面を表示画面１５に表示する（ステップＳ２）。
【００３９】
一方、携帯端末１においては、操作者のキー操作によって、ストレージ５に保持された画像のうち、表示装置３に貼り付けるための画像の選択がなされ、これによって画像特定部１７は、当該選択画像を貼付画像として特定する（ステップＳ３：画像特定ステップ）。Ｓ３で特定された画像は、端末ディスプレイ７に表示される。次に、図３に示すように操作者が携帯端末１のカメラ４を表示装置３に向けながら携帯端末１を移動し、キー操作がなされることによって、カメラ４が位置検出用画像（例えば、図３（ａ）において点線Ｅで示す領域の画像である）を撮像し、これによって、表示装置３の表示画面１５上における画像の貼付位置及び表示サイズの決定が行われ、キー操作時の加速度センサ６の出力値によって貼付画像の傾きが決定される（ステップＳ４：撮像ステップ）。図３（ａ）に示すように、画像の貼付位置は、表示装置３に対する携帯端末１のＸ軸方向及びＹ軸方向の相対位置によって決められ、図４（ａ）に示すように、画像の傾きは、携帯端末１の三次元方向における傾きによって決められ、図４（ｂ）に示すように、画像のサイズは、携帯端末１と表示装置３との相対距離によって決められる。Ｓ４において、携帯端末１の移動が行われている間、携帯端末１の端末ディスプレイ７には特定された貼付画像が表示されている一方で、カメラ４は表示装置３を撮像し続け、加速度センサ６は携帯端末１の傾きを検出し続ける。そして、キー操作によって決定がなされたタイミングで、カメラ４は取得した位置検出用画像を位置算出部９及び表示パラメタ算出部１０へ送信すると共に、加速度センサ６は取得した傾き情報を表示パラメタ算出部１０へ送信する。
【００４０】
次に、携帯端末１の位置算出部９は、Ｓ４でカメラ４から送信された位置検出用画像に基づいて貼付画像の貼付位置を算出する（ステップＳ５：位置特定ステップ）。具体的には、位置算出部９は、位置検出用画像の中心点に最も近い範囲に記載された文字及びアルファベットを識別することでＸ軸方向及びＹ軸方向の位置を算出する（図３（ａ）の例においては「Ｇ３」である）。また、携帯端末１の表示パラメタ算出部１０は、Ｓ４で加速度センサ６から送信された傾き情報に基づいて、貼付画像の傾きを算出する（ステップＳ６：傾き特定ステップ）。具体的には、表示パラメタ算出部１０は、貼付画像の傾きを携帯端末１の三次元方向の傾きと同値として算出する。また、携帯端末１の表示パラメタ算出部１０は、Ｓ４でカメラ４から送信された位置検出用画像に基づいて貼付画像のサイズを算出する（ステップＳ７：サイズ特定ステップ）。具体的には、位置検出用画像における文字及びアルファベット（図３（ａ）の例においては「Ｇ３」）の大きさから貼付画像のサイズを算出する。
【００４１】
次に、携帯端末１の画像処理部１１は、Ｓ５〜Ｓ７で算出した貼付位置、傾き、サイズを編集して貼付画像の付属情報（例えば、ＪＰＥＧ画像のＥｘｉｆオプション領域）に付記する（ステップＳ８）。情報送信部８は、Ｓ８で編集した付属情報と共に、貼付画像のデータをサーバー２へ送信する（ステップＳ９：情報送信ステップ）。
【００４２】
サーバー２の情報受信部１２は、Ｓ９で送信された貼付画像のデータ及び付属情報を受信し、画面データ編集部１３は、それらのデータと付属情報に基づき、表示装置３の表示画面１５に表示させるための画面データの編集を行う（ステップＳ１０：画面データ編集ステップ）。Ｓ１０の処理において、画面データ編集部１３は、貼付画像と表示画面１５との縮尺を考慮するとともに、付属情報に基づいて貼付画像の表示画面１５における位置と傾きとサイズを算出する。なお、表示サイズについては、Ｓ７で算出された値が大きいほど（すなわち携帯端末１が表示装置３に近いほど）表示サイズを小さくし、Ｓ７で算出された値が小さいほど（すなわち携帯端末１が表示装置３から遠いほど）表示サイズを大きくする。次に、画面データ送信部１４は、Ｓ１０で編集した画面データを表示装置３へ送信する（ステップＳ１１：画面データ送信ステップ）。表示装置３の画面データ取得部１６は、Ｓ１１で送信された画面データを受信し、表示されている初期画面を消去すると共に、図３（ｂ）に示すように、取得した画面データに基づいて画面の表示を行う（ステップＳ１３）。Ｓ１３の処理が終了すると、図２に示す処理は終了する。なお、Ｓ１１の画面データの送信は、表示装置３からの定期的な画面取得要求に応じて、携帯端末１より受信した画像がある場合に送信してもよく、あるいは、携帯端末１よりデータを受信して新たな画面データを編集したときに直ちに行ってもよい。
【００４３】
なお、図２の処理が終了した後に、更に貼付画像を追加する場合は、表示装置３の表示画面１５で再び初期画面を表示してもよく、あるいは現在表示画面１５で表示されている表示内容に基づいて新たな貼付画像の貼付位置やサイズを特定してもよい。すなわち、位置検出用画像として用いることのできる表示内容としては、サーバー２から出力されるものであって、画面におけるそれぞれの位置における表示内容と表示画面１５の座標との対応関係が取れるものであればどのような表示内容であってもよい。また、直接視認することができない画像でなくとも、電子すかしなどのように、所定の処理を施すことによって位置を特定することができる画像であってもよい。
【００４４】
また、貼付画像を表示装置３に貼り付けた後、当該貼付画像を再編集する場合、操作者のキー操作によって携帯端末１が再編集モードに設定される。図５（ａ）に示すように、再編集モードでは、カメラ４が表示画面１５の貼付画像を撮像し、画像特定部１７が撮像された貼付画像を再編集用貼付画像として特定する。次に、図５（ｂ）に示すように、操作者が携帯端末１の移動や傾けを行うと共に、決定位置でキー操作を行うことによって、位置算出部９は、再編集用貼付画像の貼付位置を再び特定し、表示パラメタ算出部１０は、再編集用貼付画像の傾きを再び特定すると共に、再編集用貼付画像のサイズを再び特定する。画像処理部１１は、再び特定された貼付位置、傾き、サイズを付記情報として処理すると共に、情報送信部８は、当該情報をサーバー２へ送信する。サーバー２の画面データ編集部１３は、再設定された付記情報に基づいて画面データを再編集し、画面データ送信部１４は、再編集された画面データを表示装置３へ送信する。これによって、表示装置３の表示画面には、図５（ｂ）に示すように、再編集された貼付画像が表示される。
【００４５】
また、貼付画像を表示装置３に貼り付けた後、表示画面１５に描画を行う場合、操作者のキー操作によって携帯端末１が描画モードに設定される。描画モードでは、携帯端末１内のアプリ内に用意されたカラーパレットが端末ディスプレイ７に表示され、操作者は当該カラーパレットから色や模様を選択する。その後、操作者はカメラ４を表示装置３の表示画面１５に向け、表示画面１５に所望の線が描かれるような軌跡で携帯端末１を移動させる。このとき、カメラ４は常に撮像画像を取得し続けており、描画部１８に撮像画像を出力し続ける。描画部１８は、撮像画像の中心位置を表示画面１５において線が描かれるべき部分として特定し続ける。これによって、描画部１８は、携帯端末１の移動軌跡に基づいて、表示画面において描画がなされる位置を特定することができる。次に、情報送信部８は、描画部１８で特定された描画情報をサーバー２へ送信する。サーバー２の画面データ編集部１３は、携帯端末１の描画部１８が特定した位置に選択した色や模様で線の描画がなされるように、画面データを編集し、画面データ送信部１４は、線が描画された画面データを表示装置３へ送信する。これによって、携帯端末１の移動軌跡に合わせて表示画面１５に線を描画することができる。なお、描画部１８は、特定の際の基準位置は中心位置のみならず、他の位置を基準位置としてもよい。
【００４６】
また、貼付画像を表示装置３に貼り付ける際、貼付画像に録音部１９で録音した音声を関連付けることもできる。具体的には、Ｓ３で貼付画像の特定を行った後、録音部１９で音声を録音し、特定した貼付画像と音声を関連付けた状態で、表示装置３への貼り付けを行う。貼付を行った後は、操作者がカメラ４で表示画面１５の貼付画像を選択することによって、選択された貼付画像に関連付けられた音声を再生することができる。
【００４７】
以上によって、本実施形態に係る画像表示システム１００及び携帯端末１によれば、携帯端末１の画像特定部１７が、表示装置３の表示画面１５へ貼り付けるための貼付画像を特定する一方で、カメラ４で表示装置３を撮像することによって、携帯端末１と表示装置３との間の相対的な位置関係や相対距離などを特定して貼付位置やサイズを特定するための位置検出用画像を取得する。そして、位置算出部９は、カメラ４の位置検出用画像によって取得される携帯端末１と表示装置３との位置関係に基づいて、表示画面１５における貼付画像の貼付位置を特定し、表示パラメタ算出部１０は、携帯端末１の傾きに基づいて、表示画面１５における貼付画像の傾きを特定すると共に、カメラ４の位置検出用画像によって取得される、携帯端末１と表示装置３との相対距離に基づいて、表示画面１５における貼付画像のサイズを特定する。更に、情報送信部８は、貼付画像のデータをサーバー２へ送信すると共に、貼付画像の表示画面１５における貼付位置、傾き及びサイズに関する情報をサーバー２へ送信する。携帯端末１から貼付画像のデータと各種情報を受信したサーバー２は、画面データ編集部１３で、携帯端末１からのデータと情報に基づいて、表示画面１５に表示される表示内容の画面データを編集し、画面データ送信部１４で、編集された画面データを表示装置３へ送信することができる。これによって、表示装置３は、携帯端末１側で特定された貼付位置、傾き、サイズに応じて、貼付画像を表示画面１５に表示することができる。このように、貼り付ける貼付画像を携帯端末１で目視しながら、貼付位置、傾き、サイズを表示装置３との位置関係や端末自体の傾きで直接的に決定することを可能とし、コルクボード等に紙媒体の写真をピン止めしていくような感覚で、直感的かつ容易に操作を行うことができる。更に、貼付画像の貼付位置、傾き、サイズを全て携帯端末１側で特定することができると共に、表示装置３における画面データの編集も全てサーバー２側で行うことができるため、表示装置３においては特別な処理が不要とされるため、ネットワークＮＷに接続可能なものであれば一般的なテレビやディスプレイを用いることができる。これによって、システム専用の特別な表示装置などを用いることなく、システムを構築することが可能となるため、コストを上げることなくシステムを実現することが可能となる。更に、貼付画像の貼付位置などが、携帯端末１のカメラ４の位置検出用画像に基づいて特定されるため、表示装置３から離れた位置で貼付操作を行うことができる。従って、タッチパネル式の画像表示システムに比べて、手間をかけることなく貼りつけを行うことができる。また、一つの表示装置３に対して複数人がそれぞれの携帯端末１で貼付画像の貼り付けを行う場合、貼付画像の貼付位置、傾き、サイズは全て個々の携帯端末１の中で特定され、表示装置３における画面データの編集は全て高い処理能力を有するサーバー２で処理される。従って、本発明に係る画像表示システム１００及び携帯端末１によれば、処理能力に限度のある表示装置３内で貼付位置の特定や画面データの編集を行う場合に比して、スムーズに処理を行うことができるため、複数人で画像を楽しむような状況や複数人で行う会議での利用性を向上させることができる。以上によって、システム全体のコストを抑えることができると共に、簡単な操作で画像を表示装置３に貼り付けることを可能とし、複数人が携帯端末１を操作する場合であっても円滑に処理を行うことができる。
【００４８】
また、本発明に係る画像表示システム１００において、複数の表示装置３を備え、サーバー２の画面データ送信部１４は、画面データを複数の表示装置３へ送信することができる。複数の表示装置３へ画面データを送信することによって、遠隔地におけるテレビ会議などで、それぞれの場所で同じ内容を共有することができる。
【００４９】
また、本実施形態に係る画像表示方法によれば、携帯端末１が画像特定ステップＳ３で、表示装置３の表示画面１５へ貼り付けるための貼付画像を特定する一方で、携帯端末１が撮像ステップＳ４で表示装置３を撮像することによって、携帯端末１と表示装置３との間の相対的な位置関係や相対距離などにより貼付位置やサイズを特定するための位置検出用画像を取得する。そして、携帯端末１が、位置特定ステップＳ５で、カメラ４の位置検出用画像によって取得される携帯端末１と表示装置３との位置関係に基づいて、表示画面１５における貼付画像の貼付位置を特定し、傾き特定ステップＳ６で、携帯端末１の傾きに基づいて、表示画面１５における貼付画像の傾きを特定し、サイズ特定ステップＳ７で、カメラ４の位置検出用画像によって取得される、携帯端末１と表示装置３との相対距離に基づいて、表示画面１５における貼付画像のサイズを特定する。更に、携帯端末１が情報送信ステップＳ９で、貼付画像のデータをサーバー２へ送信すると共に、貼付画像の表示画面１５における貼付位置、傾き及びサイズに関する情報をサーバー２へ送信する。携帯端末１から貼付画像のデータと各種情報を受信したサーバー２は、画面データ編集ステップＳ１０で、携帯端末１からのデータと情報に基づいて、表示画面１５に表示される表示内容の画面データを編集し、画面データ送信ステップＳ１１で、編集された画面データを表示装置３へ送信することができる。これによって、表示装置３は、携帯端末１側で特定された貼付位置、傾き、サイズに応じて、貼付画像を表示画面に表示することができる。このように、貼り付ける貼付画像を携帯端末１で目視しながら、貼付位置、傾き、サイズを表示装置３との位置関係や端末自体の傾きで直接的に決定できることにより、コルクボード等に紙媒体の写真をピン止めしていくような感覚で、直感的かつ容易に操作を行うことができる。更に、貼付画像の貼付位置、傾き、サイズを全て携帯端末１側で特定することができると共に、表示装置３における画面データの編集も全てサーバー２側で行うことができるため、表示装置３においては特別な処理が不要とされるため、ネットワークＮＷに接続可能なものであれば一般的なテレビやディスプレイを用いることができる。これによって、システム専用の特別な表示装置などを用いることなく、システムを構築することが可能となるため、コストを上げることなくシステムを実現することが可能となる。更に、貼付画像の貼付位置などが、携帯端末１の撮像ステップＳ４での位置検出用画像に基づいて特定されるため、表示装置３から離れた位置で貼付操作を行うことができる。従って、タッチパネル式の画像表示システムに比べて、手間をかけることなく貼りつけを行うことができる。また、一つの表示装置３に対して複数人がそれぞれの携帯端末１で貼付画像の貼り付けを行う場合、貼付画像の貼付位置、傾き、サイズは全て個々の携帯端末１の中で特定され、表示装置３における画面データの編集は全て高い処理能力を有するサーバー２で処理される。従って、本発明に係る画像表示方法によれば、処理能力に限度のある表示装置内で貼付位置の特定や画面データの編集を行う場合に比して、スムーズに処理を行うことができるため、複数人で画像を楽しむような状況や複数人で行う会議での利用性を向上させることができる。以上によって、システム全体のコストを抑えることができると共に、簡単な操作で画像を表示装置に貼り付けることを可能とし、複数人が携帯端末１を操作する場合であっても円滑に処理を行うことができる。
【００５０】
本発明は、上述した実施形態に限定されるものではない。例えば、上述の図２の制御処理では、Ｓ１で送信する初期画面として、図３（ａ）に示すようなアルファベットと数字からなる画面データを送信したが、これに代えて、二次元バーコードのように表示画面１５上にランダムに発生させた識別子からなる初期画面の画面データを送信してもよい。
【００５１】
また、図２の制御処理では、貼付位置やサイズの特定のために、初期画面の表示内容や既に貼付画像が貼り付けられた画像を用いたが、これに代えて、携帯端末１と表示装置３との距離が遠くて表示内容が認識し難い場合は、位置検出用画像における表示装置３自体の位置と大きさを用いてもよい。
【符号の説明】
【００５２】
１…携帯端末、２…サーバー、３…表示装置、４…カメラ（撮像手段）、６…加速度センサ、８…情報送信部（情報送信手段）、９…位置算出部（位置特定手段）、１０…表示パラメタ算出部（傾き特定手段、サイズ特定手段）、１３…画面データ編集部（画面データ編集手段）、１４…画面データ送信部（画面データ送信手段）、１５…表示画面、１７…画像特定部（画像特定手段）、１８…描画部（描画手段）、１９…録音部（録音手段）、１００…画像表示システム。
【図１】
2010276792.tif 000003
【図２】
2010276792.tif 000004
【図３】
2010276792.tif 000005
【図４】
2010276792.tif 000006
【図５】
2010276792.tif 000007